(57)【要約】【課題】放電を防止するとともに工数削減及び信頼性の向上を図ることのできる電子レンジを提供する。【解決手段】前面を開口して調理物を収納する加熱室３を形成する加熱室筐体２と、加熱室筐体２の底壁２ｂに凹設される凹部４と、加熱室３に高周波を供給するマグネトロン６と、凹部４内配されて高周波を攪拌する回転アンテナ５と、凹部４を塞いで加熱室３の底面を形成する着脱自在のトレイ１０と、トレイ１０の周縁に配されてトレイ１０と加熱室筐体２の側壁２ａとの間を密閉する弾性体から成るパッキン１１とを備え、パッキン１１が下方に突出して加熱室筐体２の凹部４よりも外側の底壁２ｂに当接する薄肉状の下方薄肉部１１ｂを有する。【選択図】図２
2011158220.tif 000002
【特許請求の範囲】
【請求項１】
前面を開口して調理物を収納する加熱室を形成する加熱室筐体と、前記加熱室筐体の底壁に凹設される凹部と、前記加熱室に高周波を供給するマグネトロンと、前記凹部内に配されて高周波を攪拌する回転アンテナと、前記凹部を塞いで前記加熱室の底面を形成する着脱自在のトレイと、前記トレイの周縁に配されて前記トレイと前記加熱室筐体の側壁との間を密閉する弾性体から成るパッキンとを備え、前記パッキンが下方に突出して前記加熱室筐体の前記凹部よりも外側の底壁に当接する薄肉状の下方薄肉部を有することを特徴とする電子レンジ。
【請求項２】
前記加熱室筐体の底壁は前記下方薄肉部の内周側で上方に突出する環状の突出部を有することを特徴とする請求項１に記載の電子レンジ。
【請求項３】
前記下方薄肉部が前記パッキンの底面から外周側に向かって傾斜することを特徴とする請求項１または請求項２に記載の電子レンジ。
【請求項４】
前記下方薄肉部が前記トレイの全周に連続して形成されることを特徴とする請求項１〜請求項３のいずれかに記載の電子レンジ。
【発明の詳細な説明】
【技術分野】
【０００１】
本発明は、ターンテーブルレスの電子レンジに関する。
【背景技術】
【０００２】
図４は従来の電子レンジの要部を示す正面断面図である。電子レンジ１は調理物を回転させるターンテーブルが設けられないターンテーブルレスに構成される。電子レンジ１には前面を開口して調理物を収納する加熱室３が設けられ、加熱室３は加熱室筐体２により形成される。加熱室筐体２は側壁２ａ、底壁２ｂ及び天井壁（不図示）によって箱状に形成される。加熱室筐体２の底壁２ｂには凹部４が凹設され、凹部４内にはモータ５ａにより回転駆動される回転アンテナ５が配される。
【０００３】
回転アンテナ５を配した凹部４は着脱自在のトレイ１０により覆われる。トレイ１０は加熱室３の底面を成し、トレイ１０の上方に加熱室３が形成される。加熱室筐体２の外側には高周波を発生するマグネトロン６が配される。凹部４の底面には開口部２ｃが開口し、導波管７によって開口部２ｃとマグネトロン６とが連結される。
【０００４】
図５は取り外した状態のトレイ１０を示す正面断面図である。トレイ１０はセラミック等により形成され、シリコンゴム等の弾性体から成る環状のパッキン１１が周縁に被嵌される。パッキン１１の周面には側方に向かって突出する薄肉状の側方薄肉部１１ａが設けられる。
【０００５】
図４に示すように、トレイ１０は加熱室筐体２の凹部４よりも外側の底壁２ｂ上に載置される。この時、薄肉状の側方薄肉部１１ａは加熱室筐体２の側壁２ａに沿って容易に弾性変形し、先端が加熱室筐体２の側壁２ａに当接する。これにより、トレイ１０と加熱室筐体２の側壁２ａとの間が密閉される。
【０００６】
上記構成の電子レンジ１において、マグネトロン６で発生した高周波は導波管７を導波し、回転アンテナ５によって攪拌されて加熱室３に供給される。これにより、加熱室３内の調理物が加熱調理される。調理中に加熱室筐体２の側壁２ａを流下する水滴はパッキン１１によってトレイ１０の下方への侵入が防止される。
【０００７】
また、回転アンテナ５の故障時等にトレイ１０が取り外され、回転アンテナ５の交換やメンテナンスが行われる。
【先行技術文献】
【特許文献】
【０００８】
【特許文献１】特開２００４−２７１０１１号公報（第３頁−第１１頁、第１図）
【特許文献２】特開２００３−１８５１４４号公報（第２頁−第７頁、第２図）
【発明の概要】
【発明が解決しようとする課題】
【０００９】
しかしながら、上記従来の電子レンジ１によると、加熱室筐体２の底壁２ｂの平面精度やパッキン１１の寸法公差等によって加熱室筐体２の底壁２ｂとパッキン１１の底面との間に隙間Ｄ（図４参照）が形成される。また、加熱室筐体２の側壁２ａの平面精度等によって加熱室筐体２の側壁２ａとパッキン１１の側方薄肉部１１ａとの間にも隙間（不図示）が形成される場合がある。
【００１０】
調理によって加熱室筐体２内の空気は膨張し、加熱室３から排気される。この時、トレイ１０よりも下方の空気は隙間Ｄを介してパッキン１１の側方薄肉部１１ａの弾性変形により加熱室３内に侵入する。
【００１１】
調理が終了すると加熱室３に外気が導入され、加熱室筐体２内が冷却される。調理中に調理物から発生した蒸気の一部は冷却された結果、加熱室３内の側壁２ａ等に結露する。このような結露水の発生量が多くなると、結露水が加熱室３の側壁２ａを伝って流下し、加熱室筐体２とパッキン１１との隙間から水滴が凹部４内に浸入する可能性がある。
【００１２】
また、調理中に空気が流出した加熱室筐体２のトレイ１０よりも下方の空間には、調理終了後の冷却によって負圧が発生する場合がある。この負圧によってパッキン１１の側方薄肉部１１ａが弾性変形し、側壁２ａとパッキン１１の間からトレイ１０の下方に空気及び水滴がより侵入しやすくなる。
【００１３】
トレイ１０の下方に侵入した水滴は凹部４内に到達すると次回調理時に蒸発して開口部２ｃや回転アンテナ５に付着する。この状態で高周波が供給されると放電が発生する場合がある。
【００１４】
この問題を解決するために、加熱室筐体２とパッキン１１との間にグリスを塗布するとトレイ１０の下方への水滴の侵入を防止することができる。しかしながら、製造工数が大きくなるとともに、メンテナンスによりトレイ１０を取り外した際に作業者がグリスの塗布を忘れる場合があるため信頼性が低下する問題がある。
【００１５】
本発明は、放電を防止するとともに工数削減及び信頼性の向上を図ることのできる電子レンジを提供することを目的とする。
【課題を解決するための手段】
【００１６】
上記目的を達成するために本発明は、前面を開口して調理物を収納する加熱室を形成する加熱室筐体と、前記加熱室筐体の底壁に凹設される凹部と、前記加熱室に高周波を供給するマグネトロンと、前記凹部内に配されて高周波を攪拌する回転アンテナと、前記凹部を塞いで前記加熱室の底面を形成する着脱自在のトレイと、前記トレイの周縁に配されて前記トレイと前記加熱室筐体の側壁との間を密閉する弾性体から成るパッキンとを備え、前記パッキンが下方に突出して前記加熱室筐体の前記凹部よりも外側の底壁に当接する薄肉状の下方薄肉部を有することを特徴としている。
【００１７】
この構成によると、加熱室筐体の底壁に凹設された凹部内に回転アンテナが配され、凹部を覆うトレイ上に調理物が設置される。調理が開始されるとマグネトロンが駆動され、マグネトロンにより発生した高周波が回転アンテナにより攪拌されて加熱室に供給される。これにより、調理物が加熱調理される。トレイは周縁にパッキンが配され、トレイと加熱室筐体の側壁との間がパッキンにより密閉される。また、パッキンは下方に突出する下方薄肉部が薄肉状に形成されるため自重によって容易に弾性変形して加熱室筐体の凹部よりも外側の底壁に当接する。調理によって調理物から発生した蒸気の一部は調理終了により冷却されると結露し、結露水が加熱室筐体の側壁を流下する。加熱室筐体の側壁を流下した水滴は加熱室筐体の側壁とパッキンとの間に形成された隙間を介してトレイの下方に侵入する。また、調理によって膨張した空気が流出したトレイの下方の空間には、調理終了後の冷却によって負圧が発生する場合がある。この時、加熱室筐体の側壁を流下する水滴が負圧によって加熱室内の空気とともに加熱室筐体の側壁とパッキンと間からトレイの下方に侵入する。トレイの下方に侵入した水滴は加熱室筐体の底壁に当接する下方薄肉部により堰き止められる。
【００１８】
また本発明は、上記構成の電子レンジにおいて、前記加熱室筐体の底壁は前記下方薄肉部の内周側で上方に突出する環状の突出部を有することを特徴としている。この構成によると、加熱室筐体の底壁と下方薄肉部との間を内周側に侵入した水滴は加熱室筐体の底壁から突出する突出部により堰き止められる。
【００１９】
また本発明は、上記構成の電子レンジにおいて、前記下方薄肉部が前記パッキンの底面から外周側に向かって傾斜することを特徴としている。この構成によると、トレイの下方の負圧によって弾性変形する下方薄肉部の先端が加熱室筐体の底壁から離れにくくなる。
【００２０】
また本発明は、上記構成の電子レンジにおいて、前記下方薄肉部が前記トレイの全周に連続して形成されることを特徴としている。
【発明の効果】
【００２１】
本発明によると、トレイの周縁に配されるパッキンが加熱室筐体の底壁に当接する薄肉状の下方薄肉部を有するので、トレイの自重によって下方薄肉部が容易に弾性変形して加熱室筐体の底壁とパッキンとの隙間を塞ぐことができる。これにより、加熱室筐体の側壁とパッキンとの間からトレイの下方に侵入した水滴が下方薄肉部により堰き止められる。また、調理終了後の冷却によりトレイの下方の空間に負圧が発生した場合でも、トレイの下方に侵入した水滴が下方薄肉部によって堰き止められる。従って、水滴の蒸発による放電を簡単な構成で防止することができ、電子レンジの工数を削減できるとともに信頼性を向上することができる。
【図面の簡単な説明】
【００２２】
【図１】本発明の実施形態の電子レンジを示す斜視図
【図２】本発明の実施形態の電子レンジの要部を示す正面断面図
【図３】本発明の実施形態の電子レンジのトレイを示す正面断面図
【図４】従来の電子レンジの要部を示す正面断面図
【図５】従来の電子レンジのトレイを示す正面断面図
【発明を実施するための形態】
【００２３】
以下に本発明の実施形態を図面を参照して説明する。各図面において説明の便宜上、前述の図４、図５に示す従来例と同一の部分は同一の符号を付している。図１は一実施形態の電子レンジを示す斜視図である。電子レンジ１は扉８により開閉される前面を開口して調理物を収納する加熱室３を有している。
【００２４】
図２は加熱室３の底部の詳細を示す正面断面図である。加熱室３は加熱室筐体２により形成される。加熱室筐体２は側壁２ａ、底壁２ｂ及び天井壁（不図示）によって前面を開口した箱状に形成される。加熱室筐体２の底壁２ｂには凹部４が凹設され、凹部４内にはモータ５ａにより回転駆動される回転アンテナ５が配される。
【００２５】
回転アンテナ５を配した凹部４は着脱自在のトレイ１０により塞がれる。トレイ１０は加熱室３の底面を成し、トレイ１０の上方に加熱室３が形成される。加熱室筐体２の外側には高周波を発生するマグネトロン６が配される。凹部４の底面には開口部２ｃが開口し、導波管７によって開口部２ｃとマグネトロン６とが連結される。
【００２６】
図３は取り外した状態のトレイ１０を示す正面断面図である。トレイ１０はセラミック等により形成され、シリコンゴム等の弾性体から成る環状のパッキン１１が周縁に被嵌される。パッキン１１の周面には側方（外側）に向かって突出する薄肉状の側方薄肉部１１ａが設けられる。パッキン１１の底面には下方に向かって突出する薄肉状の下方薄肉部１１ｂが設けられる。側方薄肉部１１ａ及び下方薄肉部１１ｂはトレイ１０の全周に連続して形成される。また、下方薄肉部１１ｂはパッキン１１の底面から外周側に向かって傾斜する。
【００２７】
図２に示すように、トレイ１０は加熱室筐体２の凹部４よりも外側の底壁２ｂ上に載置される。この時、側方薄肉部１１ａは薄肉状であるため加熱室筐体２の側壁２ａに沿って容易に弾性変形し、全周にわたって先端が加熱室筐体２の側壁２ａに当接する。これにより、トレイ１０と加熱室筐体２の側壁２ａとの間が密閉される。
【００２８】
加えて、下方薄肉部１１ｂは薄肉状であるため容易に弾性変形し、全周にわたって先端が加熱室筐体２の凹部４よりも外側の底壁２ｂに当接する。これにより、トレイ１０と加熱室筐体２の底壁２ｂとの間が密閉される。この時、加熱室筐体２の歪みによって底壁２ｂの平面精度が低下しても、トレイ１０の自重によって下方薄肉部１１ｂを全周にわたって底壁２ｂに密着させることができる。
【００２９】
また、加熱室筐体２の底壁２ｂには下方薄肉部１１ｂよりも内周側に環状の突出部２ｄが突設される。これにより、パッキン１１の底面は突出部２ｄに当接する。
【００３０】
上記構成の電子レンジ１において、マグネトロン６で発生した高周波は導波管７を導波し、回転アンテナ５によって攪拌されて加熱室３に供給される。これにより、加熱室３内の調理物が加熱調理される。
【００３１】
また、加熱室筐体２の底壁２ｂの平面精度やパッキン１１の寸法公差等によって突出部２ｄとパッキン１１の底面との間に隙間Ｅ（図２参照）が形成される。調理によって加熱室筐体２内の空気は膨張し、加熱室３から排気される。この時、トレイ１０よりも下方の空気は隙間Ｅを介してパッキン１１の下方薄肉部１１ｂ及び側方薄肉部１１ａの弾性変形により加熱室３内に侵入する。
【００３２】
調理が終了すると加熱室３に外気が導入され、加熱室筐体２内が冷却される。調理中に調理物から発生した蒸気の一部は冷却された結果、加熱室３内の側壁２ａ等に結露する。このような結露水の発生量が多くなると、結露水が加熱室３の側壁２ａを伝って流下する。加熱室筐体２の歪みにより側壁２ａの平面精度が低下して側壁２ａとパッキン１１の側方薄肉部１１ａとの間に隙間が形成されると、該隙間から水滴がトレイ１０の下方に浸入する。
【００３３】
また、調理中に空気が流出した加熱室筐体２のトレイ１０よりも下方の空間には、調理終了後の冷却によって負圧が発生する場合がある。この負圧によってパッキン１１の下方薄肉部１１ｂ及び側方薄肉部１１ａが弾性変形し、側壁２ａとパッキン１１の間からトレイ１０の下方に空気及び水滴が侵入する。
【００３４】
トレイ１０の下方に侵入した水滴は加熱室筐体２の底壁２ｂに密着する下方薄肉部１１ｂにより堰き止められる。また、トレイ１０の下方の空間は空気の流入により負圧が減少するため、負圧が発生した場合でもトレイ１０の下方に侵入した水滴を下方薄肉部１１ｂによって堰き止めることができる。
【００３５】
これにより、凹部４への水滴の到達が防止される。また、下方薄肉部１１ｂはパッキン１１の底面から外周側に向かって傾斜するため、負圧により弾性変形する下方薄肉部１１ｂの先端が加熱室筐体２の底壁２ｂから離れにくい。このため、凹部４への水滴の到達がより確実に防止される。
【００３６】
加えて、トレイ１０の下方の空間の負圧によって下方薄肉部１１ｂよりも内周側への水滴が侵入した場合でも、突出部２ｄにより水滴が堰き止められる。従って、凹部４への水滴の到達が更に防止される。
【００３７】
尚、回転アンテナ５の故障時等にはトレイ１０が取り外され、回転アンテナ５の交換やメンテナンスが行われる。
【００３８】
本実施形態によると、トレイ１０の周縁に配されるパッキン１１が加熱室筐体２の底壁２ｄに当接する薄肉状の下方薄肉部１１ｂを有するので、トレイ１０の自重によって下方薄肉部１１ｂが容易に弾性変形して加熱室筐体２の底壁２ｂとパッキン１１との隙間を塞ぐことができる。これにより、加熱室筐体２の側壁２ａとパッキン１１との間からトレイ１０の下方に侵入した水滴が下方薄肉部１１ｂにより堰き止められる。また、調理終了後の冷却によりトレイ１０の下方の空間に負圧が発生した場合でも、トレイ１０の下方に侵入した水滴が下方薄肉部１１ｂによって堰き止められる。
【００３９】
これにより、凹部４への水滴の到達を防止して水滴の蒸発による放電を簡単な構成で防止することができる。また、加熱室筐体２とパッキン１１との間にグリスを塗布する必要がなく、電子レンジ１の工数を削減できるとともに信頼性を向上することができる。
【００４０】
また、加熱室筐体２の底壁２ｂが下方薄肉部１１ｂの内周側で上方に突出する環状の突出部２ｄを有するので、凹部４への水滴の到達をより確実に防止することができる。
【００４１】
また、下方薄肉部１１ｂがパッキン１１の底面から外周側に向かって傾斜するので、凹部４への水滴の到達をより確実に防止することができる。
【００４２】
また、下方薄肉部１１ｂがトレイ１０の全周に連続して形成されるので、凹部４への水滴の到達をより確実に防止することができる。
【００４３】
本実施形態において、側方薄肉部１１ａを省いてパッキン１１の周面を加熱室筐体２の側壁２ａに密接させてもよい。
【産業上の利用可能性】
【００４４】
本発明によると、ターンテーブルレスの電子レンジに利用することができる。
【符号の説明】
【００４５】
１    電子レンジ
２    加熱室筐体
２ａ  側壁
２ｂ  底壁
２ｃ  開口部
２ｄ  突出部
３    加熱室
４    凹部
５    回転アンテナ
６    マグネトロン
７    導波管
１０    トレイ
１１    パッキン
１１ａ  側方薄肉部
１１ｂ  下方薄肉部
【図１】
2011158220.tif 000003
【図２】
2011158220.tif 000004
【図３】
2011158220.tif 000005
【図４】
2011158220.tif 000006
【図５】
2011158220.tif 000007